(57)【特許請求の範囲】
【請求項１】
吸入用調合薬を投与分の状態で収容した複数個のブリスターポケット（３）を備えたブリスターストリップ（２）から吸入用調合薬を送り出す吸入器（１）であって、
前記ブリスターストリップ（２）の段階的前進運動を可能にするコンベヤ（５）と、
整列関係をなすブリスターポケット（３）の蓋（２７）を穴あけする突き通し部材（７）とを有し、
前記吸入器（１）が、開封状態のブリスターポケット（３）からそれぞれの投与分を放出すると共にこれを周囲空気と共にエーロゾル雲（１１）として送り出すために、吸入の際の吸息により周囲空気の空気流（９）を吸い込み又は送り出すことができるよう設計されている、吸入器において、
前記突き通し部材（７）は、板材で作られ、該板材の一部を傾斜位置に曲げることにより形成された、互いに平行に延びる２つの突き通し要素（２５，２６）であって、
穴あけされるべき前記蓋（２７）、
前記蓋（２７）又は前記ブリスターストリップ（２）の表面又は主平面、
前記ブリスターストリップ（２）の長手方向広がり、
前記ブリスターストリップ（２）の前進運動（５ａ）、及び
穴あけされるべき前記ブリスターポケット（３）に対する前記突き通し部材（７）の突き通し運動方向、
の少なくとも一つに対して傾けられた方向に、互いに平行に延びるため、前記２つの突き通し要素（２５，２６）が曲げられている２つの突き通し要素（２５，２６）を備えている、
ことを特徴とする吸入器。
【請求項２】
前記突き通し部材（７）は、前記蓋（２７）に２つの別々の開口部を形成するために前記蓋（２７）を穴あけする２つの突き通し要素（２５，２６）のみから成る、
請求項１記載の吸入器。
【請求項３】
前記突き通し要素（２５，２６）は、少なくともほぼ平べったい、
請求項１又は２記載の吸入器。
【請求項４】
前記突き通し要素（２５，２６）は、自由端部に向かってテーパしている、
請求項１ないし３のいずれか１項に記載の吸入器。
【請求項５】
請求項１ないし４のいずれか１項に記載の吸入器（１）であって、
マウスピース（８）を有する吸入器において、
前記突き通し部材（７）は、金属で作られ、前記突き通し部材（７）は、前記マウスピース（８）と関連したインサート（１７）によって支持されている、
ことを特徴とする吸入器。
【請求項６】
前記突き通し部材（７）は、圧力嵌め関係をなして前記インサート（１７）に連結されている、
請求項５記載の吸入器。
【請求項７】
前記インサート（１７）は、プラスチックで作られ、前記吸入器（１）の流れ抵抗を定めている、
請求項５又は６記載の吸入器。
【請求項８】
前記板材は、板金である、請求項１ないし７のいずれか１項に記載の吸入器。
【請求項９】
前記突き通し部材（７）は、ほぼ平べったく又は板状である、
請求項１ないし８のいずれか１項に記載の吸入器。
【請求項１０】
前記吸入器（１）は、前記突き通し部材（７）を保持し又は形成する一体のインサート（１７）を有する、
請求項１ないし９のいずれか１項に記載の吸入器。
【発明の詳細な説明】
【技術分野】
【０００１】
本発明は、請求項１又は請求項４の前提部に記載された吸入器に関する。
【０００２】
本発明は、粉末形態の吸入用調合薬を投与分の状態で収容した複数個のブリスターポケット（ブリスターとも呼ばれている）を備えたブリスターストリップから粉末形態の吸入用調合薬を送り出す吸入器に関する。
【背景技術】
【０００３】
英国特許第２４０７０４２（Ａ）号明細書は、巻取り型ブリスターストリップを備えた吸入器を開示している、この吸入器は、手動式の回動可能なアクチュエータを有し、このアクチュエータは、ブリスターストリップを段階的に動かすコンベヤを作動させる。アクチュエータは、突き通し具及び関連のマウスピースを支持する。アクチュエータを回動させることにより、ブリスターストリップを前方に動かすことができ、そしてブリスターストリップのブリスターポケットを次々に穴あけすることができる。患者が吸息すると、空気流が先に穴あけされたブリスターポケットを通過し、その結果、ブリスターポケット内の吸入用調合薬が空気と混ざり合い、患者に放出される。
【０００４】
本発明は、受動型吸入器、即ち、患者又はユーザが吸入用調合薬を同伴し、所望のエーロゾルを形成する空気流を発生させるために吸息する吸入器に関する。
【０００５】
患者がマウスピース又は任意の他のエンドピース（端部品）を自分の口に入れて吸息すると、空気流は、吸入器を通って吸い込まれてエーロゾルを生じさせると共に吸入用調合薬をエーロゾルとして放出する。空気流が吸入器を通って流れるときに吸入器内に圧力降下が生じる。この圧力降下は、単位時間当たりの流量及び流速で決まる。流れ抵抗は、或る特定の流量での圧力降下の平方根に関連した量を表わしている。
【０００６】
本発明において、「流れ抵抗」という用語は、吸入中、即ち吸入用調合薬のエーロゾルが発生している状態で、空気が吸入器のマウスピース又は任意他のエンドピースから吸い込まれるときに生じる抵抗を意味している。
【０００７】
ブリスターポケットを穴あけする突き通し部材の設計は、良好な放出特性を達成する上で重要である。このうえで多数の突き通し部材の設計例が、例えば仏国特許出願公開第２８８１１１１（Ａ１）号明細書、英国特許出願公開第２４０７０４２（Ａ）号明細書、国際公開第２００４／１０３４４６（Ａ１）号パンフレット、同第０２／０９４３５７（Ａ１）号パンフレット、英国特許出願公開第２３７５３０９（Ａ）号明細書、国際公開第０１／２６７２０（Ａ）号パンフレット、同第９９／０６２４９５（Ａ）号パンフレット、同第９９／４７０９９（Ａ）号パンフレット、独国特許出願公開第１９７５７２０８（Ａ１）号明細書、国際公開第９７／４０８７６（Ａ）号パンフレット及び同第９６／０９０８５（Ａ）号パンフレットから知られている。
【先行技術文献】
【特許文献】
【０００８】
【特許文献１】英国特許第２４０７０４２（Ａ）号明細書
【特許文献２】仏国特許出願公開第２８８１１１１（Ａ１）号明細書
【特許文献３】英国特許出願公開第２４０７０４２（Ａ）号明細書
【特許文献４】国際公開第２００４／１０３４４６（Ａ１）号パンフレット
【特許文献５】国際公開第０２／０９４３５７（Ａ１）号パンフレット
【特許文献６】英国特許出願公開第２３７５３０９（Ａ）号明細書
【特許文献７】国際公開第０１／２６７２０（Ａ）号パンフレット
【特許文献８】国際公開第９９／０６２４９５（Ａ）号パンフレット
【特許文献９】国際公開第９９／４７０９９（Ａ）号パンフレット
【特許文献１０】独国特許出願公開第１９７５７２０８（Ａ１）号明細書
【特許文献１１】国際公開第９７／４０８７６（Ａ）号パンフレット
【特許文献１２】国際公開第９６／０９０８５（Ａ）号パンフレット
【発明の概要】
【発明が解決しようとする課題】
【０００９】
しかしながら、研究結果の示すところによれば、現行設計の突き通し具は、結果的に、最適化された放出特性をもたらさず且つ／或いは製造するのが困難であり且つ／或いは手の込んだ設計のものになっている。
【００１０】
本発明の目的は、最適化された放出特性及び／又は簡単な設計の吸入器を提供することにある。
【課題を解決するための手段】
【００１１】
この目的は、請求項１又は４記載の吸入器によって達成される。有利な実施形態は、従属形式の請求項の内容である。
【００１２】
本発明の一態様によれば、突き通し部材は、少なくとも互いに略平行に延びると共に穴あけされるべき蓋、蓋又はブリスターストリップの表面又は主平面、ブリスターストリップの長手方向広がり、ブリスターストリップの前進運動及び／又は穴あけされるべきブリスターポケットに対する突き通し部材の突き通し運動方向に対して傾けられている２つの突き通し要素を含む。
【００１３】
特に、蓋は、これら突き通し部材によってのみ穴あけされる。好ましくは、突き通し部材は、これら２つの突き通し要素のみから成る。好ましくは、突き通し要素は、少なくともほぼ平べったく且つ／或いはその自由端部に向かってテーパしている。
このようにして、非常に簡単な設計が可能であり且つ／或いは最適化された放出特性を達成することができる。
【００１４】
別個に実現できる本発明の別の態様によれば、突き通し部材は、金属で作られると共に吸入器のマウスピースに関連したインサートによって支持される。これにより、最適化された放出特性を達成することができる比較的簡単な構造の実現が可能である。
【００１５】
本発明の別の利点、特徴、性質及び観点は、特許請求の範囲の記載及び図面を参照して幾つかの好ましい実施形態についての以下の説明を読むと明らかになろう。
【図面の簡単な説明】
【００１６】
【図１】マウスピースカバーが取り外された状態の吸入器の概略断面図である。
【図２】マウスピースカバーが閉鎖された状態の吸入器の概略断面図である。
【図３】マウスピース及び突き通し部材の付近の吸入器の拡大断面図である。
【図４】突き通し側から見えるインサートを備えた突き通し部材の斜視図である。
【発明を実施するための形態】
【００１７】
図中、同一の参照符号は、たとえ関連の説明が繰り返されていなくても、同一又は類似の部分を示すために用いられている。特に、同一又は対応の利点及び機能が達成される。
【００１８】
図１は、吸入器１を概略断面図で示している。
【００１９】
吸入器１は、バンド状ブリスターストリップ２から粉末状の吸入用調合薬を投与するのに役立つ。ブリスターストリップ２は、個数が有限であり、無端又は閉ループを形成しているわけではない。ブリスターストリップは、一回分のばらばらの吸入用調合薬をそれぞれ直接収容した多数個のブリスターポケット３を有している。このようにして、調合薬は、予備計量される。
【００２０】
吸入器１は、好ましくは、ブリスターポケット３が閉じられている（密封されている）依然として未使用のブリスターストリップ２のためのリザーバ４を有している。ブリスターストリップ２は、リザーバ４内にロールアップされ又は巻き取られている。図示の例では、リザーバ４は、ブリスターストリップ２をできるだけ容易に外方に動かし又はリザーバ４から引き出すことができるように形成されている。
【００２１】
図示の例では、ブリスターストリップ２は、リザーバ４内に直接受け入れられる。しかしながら、これに代えて、カセット、容器、ドラム又はこれらと同等のものをブリスターストリップ２と共に吸入器１又はリザーバ４内に嵌め込み又は挿入しても良い。
【００２２】
吸入器１は、ブリスターストリップ２の段階的前進運動をブリスターポケット３の一つ分だけ矢印５ａ方向に行わせるコンベヤ５を有している。その目的は、ブリスターポケット３を連続的に、それぞれブリスターポケット３を開封（開放）して空にすることができる開封及び／又は取り出し位置６に供給することにある。
【００２３】
ブリスターポケット３をそれぞれ好ましくは、突き通し部材７によって開封又は開放することができ、この突き通し部材は、位置６でそれぞれ整列（又は位置合わせ）状態にあるブリスターポケット３の蓋を穴あけし、又は切断開放する。突き通し部材７は、中空であると共に／或いは吸入器１の隣接のマウスピース８と流体連通状態にある。
【００２４】
吸入中又は吸入のために、患者又はユーザ（図示せず）は、マウスピース８を自分の口の中に入れて吸息する。突き通し部材７が貫入したそれぞれ開封状態のブリスターポケット３は、それにより、吸い込みによって空になる。周囲空気の空気流９が吸い込まれて開封状態のブリスターポケット３中に流れ、その結果、バラバラの粉末１０（吸入用調合薬を形成しており、マウスピース８の下で実際に開封状態のブリスターポケット３に入れられた状態で図１にのみ概略的に示されている）が吸い込まれた周囲空気と共にマウスピース８を介してエーロゾル雲１１として小出しされるようになっている。この状況は図１に概略的に示されている。
【００２５】
吸入器１は、好ましくは、手動で作動できるレバー状のアクチュエータ１２を有し、このアクチュエータは、吸入器１のハウジング１２ａに回動可能に取り付けられている。突き通し部材７及びマウスピース８は、アクチュエータ１２に取り付けられると共にこれによって支持されている。
【００２６】
アクチュエータ１２は、突き通し部材７がマウスピース８の下で位置６にあるそれぞれ整列関係をなすブリスターポケット３の蓋を穴あけするように作動可能（回動可能）である。
【００２７】
アクチュエータ１２が図１に示されている位置から（この場合、反時計回りの方向に）回って図３に示されている部分開放位置に至ると、突き通し部材７は、最後に穴あけされたブリスターポケット３から引っ込められる。
【００２８】
次に、ブリスターストリップ２を、ブリスターポケット３一つ分だけ前方に動かして次のブリスターポケット３が位置６に来るようにする。これについては後で詳細に説明する。
【００２９】
アクチュエータ１２が図１に示されている位置に回って戻ると、即ち、アクチュエータ１２を手動で戻すと、ブリスターストリップ２の次の整列状態にあるブリスターポケット３が突き通し部材７によって穴あけされ、それにより開封される。次に、新たな次の吸入が可能であり、即ち、吸入器１が作動される。
【００３０】
吸入器１は、ブリスターストリップ２の使用済み部分を受け入れ又は収納する受け入れスペース又は装置１３を有している。受け入れスペース又は装置１３は、使用済み部分を巻き取ることができるよう形成されている。図１は、リザーバ４がほぼ充填状態にあり、受け入れスペース１３が依然としてほぼ空の状態にある状況を示している。
【００３１】
コンベヤ５は、運搬ホイール１４を有し、この運搬ホイールは、ブリスターポケット３相互間に係合することができ、ブリスターストリップ２を圧力ロック又は圧力嵌め状態で運搬することができる。これにより、ブリスターストリップ２を所望に応じて且つ／或いは必要に応じて非常に確実に又は正確に動かし又は割送りすることができる。
【００３２】
コンベヤ５又はその運搬ホイール１４は、このように、ブリスターポケット３が空になった後、リザーバ４と受け入れ装置１３との間、特に取り出し位置６と受け入れ装置１３との間に配置される。
【００３３】
アクチュエータ又はレバー１２の回動軸線は、運搬ホイール１４の回転軸線と同軸である。具体的に説明すると、アクチュエータ又はレバー１２は、運搬ホイール１４のアクスルによって支持されるのが良い。
【００３４】
吸入器１は、マウスピースカバー１５を有する。マウスピースカバー１５は、吸入器１の基本原理のみを説明する図１には示されておらず、吸入器１のより現実的であるが依然として概略的な断面図である図２には示されている。図２は、マウスピースカバー１５が閉鎖された状態で吸入器１を示しており、この場合、ブリスターストリップ２は、説明上の目的で部分的に省かれている。図３は、マウスピースカバー１５が完全に開かれた状態で吸入器１を示している。
【００３５】
マウスピースカバー１５は、カバー軸線１６回りに回動可能であり、このカバー軸線は、図２及び図３に示されており、この例では、図面の平面（紙面）に垂直に延びている。
【００３６】
アクチュエータ１２の回動軸線は、カバー軸線１６に同軸に又はこれと一致して延びている。運搬ホイール１４の回転軸線は、カバー軸線１６及びアクチュエータ１２の回動軸線に同軸に延びている。
【００３７】
コンベヤ５又はその運搬ホイール１４は、マウスピースカバー１５により、即ち、マウスピースカバー１５の回動運動によって駆動される。具体的に説明すると、マウスピースカバー１５を開くと、ブリスターストリップ２が前方に動かされる。好ましくは、マウスピースカバー１５の開放運動の一部だけでコンベヤ５又はその運搬ホイール１４が作動され又は動かされてブリスターストリップ２が前方に動かされる。
【００３８】
図２に示されている完全閉鎖位置から始めて、マウスピースカバー１５を開くと、例えば最大約１０°、２０°又は３０°の第１の角度までの開放運動の第１段階において、ブリスターストリップ２は、マウスピースカバー１５と運搬ホイール１４との間のそれぞれのフリーホイール（図示せず）に起因して動かない。
【００３９】
まず最初に、突き通し部材７を先に穴あけされると共に、通常／すでに空になっているブリスターポケット３から引っ込めるためにアクチュエータ１２を動かし又は開放しなければならない。アクチュエータのこの開放運動は、手動で実施できる。しかしながら、アクチュエータ１２は、好ましくは、マウスピースカバー１５を開けると自動的に開く。具体的に説明すると、マウスピースカバー１５を最大第１の角度まで開くのが良い。マウスピースカバー１５がこの角度、例えば約２０°に達すると、アクチュエータ１２は、特に付勢手段又はばね手段（図示せず）等に起因して自動的に弾いて開き、図２に示されているその開放位置に至る。しかしながら、アクチュエータ１２が開放運動の第１段階において、マウスピースカバー１５と一緒に動いて（例えば、ラチェット機構体、ばね等に起因して）遂にはアクチュエータ１２がその開放位置又は第１の角度に達するようにすることも可能である。
【００４０】
アクチュエータ１２の開放位置は、外部からの何らかの潜在的な影響を回避し又は少なくとも最小限に抑えるために、好ましくは、突き通し部材７が外部まで露出されることがなく且つ／或いは吸入器１が完全には開かれないように設定される。
【００４１】
アクチュエータ１２の開放位置を制限するため、アクチュエータ１２の開放又は回動範囲は、マウスピースカバー１５の開放又は回動範囲よりも小さく且つ／或いは好ましくはせいぜい２０°、特に約１０°以下に制限されている。
【００４２】
しかしながら、アクチュエータ１２は、その開放位置が限定されず、マウスピースカバー１５まで、特にマウスピースカバー１５と一緒に開き又は回動できるようにすることも可能である。
【００４３】
マウスピースカバー１５の次の開放（第２段階）の際、コンベヤ５又はその運搬ホイール１４を作動させてブリスターストリップ２をブリスターポケット３一つ分だけ、空にされるべき次のブリスターポケット３まで前方に動かし又は割送りする。このブリスター運動は、好ましくはマウスピースカバー１５の完全開放まで起こる。
【００４４】
マウスピースカバー１５が完全に開放され、即ち、その端位置に達した場合にのみ、次のブリスターポケット３を穴あけのための位置６に保つために、ブリスターストリップ２の運動は、それぞれの機構体（図示せず）により設定され又は固定されると共に／或いはマウスピースカバー運動から切り離される。しかしながら、マウスピースカバー１５が完全に開かれないで再び閉じられた場合、ブリスターストリップ２を後方に動かす。これにより、吸入器１の作動が容易になり、特に、マウスピースカバー１５の不完全な又は意図しない動作の結果として、ブリスターストリップ２の望ましくない運動が生じ、最終的に次のブリスターポケット３の望ましくない開封が生じることがないようにする。
【００４５】
好ましくは、マウスピースカバー１５が完全に開かれ又は回動されて第１の角度まで戻され或いは最後に穴あけされたブリスターポケット３が位置６に戻された場合にのみ開放状態のアクチュエータ１２を再び閉鎖することができるようにするロック（図示せず）が設けられる。ブリスターポケット３のない又はこれを備えたブリスターストリップ２の一領域に突き通し部材７を押しつけることはできない。
【００４６】
マウスピースカバー１５を完全に開き、次のブリスターポケット３を位置６に動かすと、すでに整列関係にあり依然として密閉状態にあるブリスターポケット３を穴あけするためにアクチュエータ１２を回動して戻すことができ、即ち、閉鎖することができる。すると、吸入器１は、いつでも吸入可能な状態にあり、即ち、上述したように作動される。
【００４７】
吸入後、マウスピースカバー１５を回動させてその閉鎖位置に戻すことにより吸入器１を閉鎖することができる。
【００４８】
上述したようなマウスピースカバー１５の運動により又は任意他の適当な仕方でコンベヤ５、又はその運搬ホイール１４を作動させるため、上述したフリーホイール及び適当な伝動装置、滑りクラッチ又は任意の他の適当な継手等によりマウスピースカバー１５をカバー後、特に運搬ホイール１４に結合する。
【００４９】
好ましくは、フリーホイール、伝動装置、継手等は、運搬ホイール１４又はそれぞれのアクスルに組み込まれ又はこれに隣接して配置される。
【００５０】
好ましくは、マウスピースカバー１５は、アクチュエータ及び／運搬ホイール１４のアクスル又は軸線を軸方向に覆う。
【００５１】
図３は、マウスピース及び開封状態のブリスターポケット３が取り出し位置６にある状態で、突き通し部材７を拡大断面図で示している。突き通し部材７又は吸入器１は、好ましくは、インサート１７を有し、このインサートはマウスピース８に連結され、特に、マウスピース８の出口スペース又は管１８内に延びていることが理解できる。
【００５２】
吸入器１又はマウスピース８は、好ましくは、周囲空気の空気流９を流入させることができる少なくとも１つ、この場合多数個の空気開口部１９を有している。
【００５３】
突き通し部材７及びマウスピース８及び／又はインサート１７は、開封状態のブリスターポケットを流通した空気のための供給径路２０及びさらに空気がブリスターポケット３をバイパスするためのバイパス径路２１を形成している。経路２０，２１の両方は、好ましくは、マウスピース８内又はその出口管１８内且つ／或いは経路２０，２１を通過したそれぞれの流れが混ざり合う混合ゾーン２２のところで終端する。
【００５４】
特に、空気開口部１９を通って流入した空気流９は、開封状態のブリスターポケット３を通ると共に供給経路２０を通って流れる供給空気流２３及びバイパス経路２１を通って流れるバイパス空気流２４に分流される。
【００５５】
図３は、空気が流れる際のエーロゾルの発生状況を概略的に示している。開封状態のブリスターポケット３を通って流れる供給空気流２３は、吸入用調合薬（粉末１０）を同伴してマウスピース８、又はその出口管１８内に特に供給空気流がバイパス空気流２４と混ざり合う混合ゾーン２２まで流れる。このように、図３に概略的に示されているようにエーロゾル雲１１が発生する。
【００５６】
この実施形態では、突き通し部材７は、好ましくは、図３に示されると共に図４の突き通し部材７の斜視図に示されているように少なくとも１つ、この場合２つの突き通し要素２５，２６から成る。
【００５７】
第１の突き通し要素２５は、図３に示されているようにブリスターポケット３の蓋２７に第１のブリスター開口部（入口開口部）を形成するのに役立つ。第２の突き通し要素２６は、図３に概略的に示されているように蓋２７に別個の第２のブリスター開口部（出口開口部）を形成する。供給空気流２３は、第１の開口部を通って流入し、そして第２の開口部を通って流出することができる。第２の開口部は、供給経路２０に流体結合されると共に、この場合、好ましくは、突き通し部材７及び／又はインサート１７内に設けられたチャネル２８によって形成される。このチャネル２８は、この実施形態では、混合ゾーン２２に開口している。
【００５８】
この実施形態では、バイパス経路２１は、好ましくはインサート１７によって形成された好ましくはバイパスチャネル２９を通って混合ゾーン２２に通じ又はこれによって形成される。具体的に説明すると、バイパスチャネル２９は、チャネル２８を同心状に又は半径方向に包囲する。しかしながら、他の構成上の手段の採用が可能である。
【００５９】
インサート１７は、突き通し部材７に隣接して配置されている。特に、突き通し部材７は、インサート１７を形成し又はこれを保持し、或いはこの逆の関係がなり立つ。
【００６０】
好ましくは、インサート１７は、マウスピース８又はその出口管１８内に圧力嵌め状態で保持される。しかしながら、他の構成上の手段の採用も可能である。
【００６１】
突き通し部材７は、図３に示されているようにアクチュエータ１２及び／又はマウスピース８に連結されている。特に、突き通し部材７は、ほぼ板状であり、２つの突き通し要素２５，２６は、開封されるべきブリスターポケット３に向かって突き出ると共に延びている。
【００６２】
好ましくは、突き通し部材７は蓋２７を穴あけし又は位置６にあるブリスターポケット３を開封し、特に、蓋に２つの別々の開口部を形成する２つの突き通し要素２５，２６だけから成る。
【００６３】
好ましくは、突き通し要素２５，２６は、少なくともほぼ平べったい又は板状である。
好ましくは、突き通し要素２５，２６は、少なくとも略平行に延び、又は形成されている。
【００６４】
好ましくは、突き通し要素２５，２６は、そのそれぞれの自由端部までテーパすると共に／或いはそれぞれ先端部３１を有している。
【００６５】
好ましくは、突き通し要素２５，２６は、蓋２７又はブリスターストリップ２の表面又は主平面、ブリスターストリップ２の長手方向広がり、ブリスターストリップ２の前進運動５ａ及び／又は穴あけ中におけるブリスターポケット３に対する突き通し部材７の相対運動方向に対して傾けられている。具体的に言えば、この傾きは３０°〜６０°、好ましくは約４０°〜５０°、最も好ましくは約４５°である。
【００６６】
好ましくは、突き通し部材７及び／又は突き通し要素２５，２６は、板材、特に板金で作られる。
この実施形態では、突き通し要素２５，２６は、それぞれの傾斜位置に曲げられている。
【００６７】
好ましくは、突き通し要素２５，２６は、それぞれ、ほぼ直線状の縁部に沿って突き通し部材７の平べったい板状の領域にのみ連結されている。
【００６８】
好ましくは、突き通し部材７は、金属及び／又は板材で作られている。突き通し部材７は、好ましくは、インサート１７とは別個に形成され又は作られている。
好ましくは、インサート１７は、突き通し部材７を保持し又は支持している。
【００６９】
好ましくは、突き通し部材７は、インサート１７又は吸入器１の任意他の適当なコンポーネントによって圧力嵌め状態に保持されている。好ましくは、圧力嵌めによる連結は、突き通し部材７が、突起３３が挿通する少なくとも１つの貫通穴３２を有し、突き通し部材７を固定するためにこの突起の自由端部が変形されることによって達成されている。突起３３は、インサート１７又は吸入器１の任意他の適当なコンポーネントから突き出ている。突起３３は、好ましくは、プラスチックで作られ、従って、所望の圧力嵌めによる連結を単純な仕方で、特に変形により、好ましくは圧力及び／又は熱に起因して達成できるようになっている。
【００７０】
貫通穴３２は、好ましくは、突き通し部材７の平べったい又は板状の領域に設けられる。
【００７１】
この実施形態では、突き通し部材７は、好ましくは、少なくとも２つの箇所のところで、好ましくは、２つの突起３３が対応の２つの貫通穴３２を貫通することにより保持され又は連結されている。
【００７２】
好ましくは、吸入器１の流れ抵抗は、少なくとも７５０００Ｐａ1/2ｓ／ｍ3、特に少なくとも９００００Ｐａ1/2ｓ／ｍ3、より好ましくは９６０００Ｐａ1/2ｓ／ｍ3以上である。流れ抵抗は、好ましくは、突き通し部材７及び／又はインサート１７によって定められ又は設定される。
【００７３】
流れ抵抗は、この場合、圧力降下の平方根を流量で除算して得た商である。例えば、４０００Ｐａの圧力降下の結果として、３９ｌ（リットル）／分の流量で、９７３０１Ｐａ1/2ｓ／ｍ3の流れ抵抗が生じる。
【００７４】
このようにして、比較的ゆっくりとした吸入を達成することができる。特に、患者又はユーザが直感で吸息を行っているに過ぎない場合であっても吸入時間を延長することができると共に／或いはマウスピース８又はその出口管１８を通る比較的低い流速又は流量を達成することができる。
【００７５】
好ましくは、供給経路２０の（この場合、チャネル２８の）最も小さな断面積は、供給空気流２３を制限すると共に／或いはブリスター開口部の断面積よりも小さい（この場合、第１及び第２のブリスター開口部のうちの小さい方の断面積よりも小さい）。これにより明確に規定された流れ抵抗及び流れ特性の定義又は提供が可能になる。特に、流れ抵抗は、或る１つのブリスターポケット３と次のブリスターポケットでは異なる場合のあるブリスター開口部の実際のサイズには依存しない。
【００７６】
好ましくは、バイパス経路２１の最も小さな断面積（この場合、溝２９の断面積によって形成される）は、供給経路２０の最も小さな断面積よりも小さい。この結果、空気流９（かかる空気流全体）の主要な部分は、供給経路２０を通って案内される。換言すると、供給空気流２３は、好ましくは、流量がバイパス空気流２４よりも大きい。
【００７７】
具体的に言えば、バイパス経路２１の最も小さな断面積は、供給経路２０の最も小さな断面積のせいぜい８０％、好ましくは約７０％以下である。この結果、バイパス空気流２４の流量は、供給空気流２３の流量よりも著しく低い。これは、全流量が好ましくは高い流れ抵抗、結果としての低い平均流速を考慮すると比較的低い場合に特に重要である。
【００７８】
別の態様によれば平均速度は、好ましくは、３９ｌ／分以下の比較的低い全流量の場合であっても少なくとも５０ｍ／秒である。このことは、流速が具体的には少なくとも５５ｍ／分、好ましくは約６０ｍ／分以上であることを意味している。この「平均流速」という表現は、混合ゾーン２２内又は供給経路２１の端部のところ（この場合、チャネル２８の出口のところ）での流速を意味している。
【００７９】
好ましい高い平均流速の結果として、粉末１０（吸入用調合薬）の解凝集度が向上する。特に、平均流速は、先の構成例の場合よりも著しく高い。
【００８０】
注目されなければならないこととして、図３は、潜在的に考えられる構成例を非常に概略的にしか示しておらず、特に、縮尺通りには示していない。壁として他の構成上の手段の採用が可能である。
【００８１】
チャネル２８は、図３に示されているようにその出口端部に向かってテーパするのが良い。しかしながら、チャネル２８は、ほぼ一定の内径又は断面積を有しても良く、或いは、逆方向にテーパしても良い。
【００８２】
チャネル２８は、好ましくは、断面が円筒形又は円形である。しかしながら、チャネル２８は、楕円であっても良い。同じことは、出口管１８及び／又はマウスピース８について当てはまる。
【００８３】
好ましくは、供給経路２０（チャネル２８）及びバイパス経路２１（溝２９）の出口は、互いにできるだけ近くに配置される。具体的に言えば、中間又は環状壁３０が、供給経路２０及び／又はバイパス経路２１の出口に続いて混合ゾーン２２に向かってできるだけ薄く形成される。
【００８４】
この実施形態では、バイパス経路２１は、その出口が好ましくは中央に配置された供給経路２０／チャネル２８を半径方向に包囲する。しかしながら、他の構成上の手段の採用が可能である。
【００８５】
この実施形態では、多数の、例えば４つ又は６つのチャネル又は溝２９がバイパス経路２１を形成している。しかしながら、他の構成上の手段の採用が可能である。例えばバイパス経路２１を断面が又は出口端部のところがほぼ環状又は楕円形であり、又は、２つの半リング状出口等を形成するチャネルによって形成しても良い。
【００８６】
さらに、他の突き通し要素２５，２６及び／又は突き通し要素２５，２６の他の構成を使用できることは注目されなければならない。
【００８７】
好ましくは、吸入器１は、携帯可能であり、機械的原理のみで動作し且つ（或いは）手持ち型である。
【００８８】
好ましくは、「ブリスターストリップ」及び「ブリスターポケット」という用語は、調合薬のための入れ物又はそれどころか大量貯蔵部を備えた他の種類の貯蔵手段も又含むものと非常に広義に理解されなければならない。
【符号の説明】
【００８９】
１  吸入器
２  ブリスターストリップ
３  ブリスターポケット
４  リザーバ
５  コンベヤ
５ａ  前進運動
６  開封及び／又は取り出し位置
７  突き通し部材
８  マウスピース
９  空気流
１０  粉末
１１  エーロゾル雲
１２  アクチュエータ
１２ａ  ハウジング
１３  受け入れ装置
１４  運搬ホイール
１５  マウスピースカバー
１６  カバー軸線
１７  インサート
１８  出口管
１９  空気開口部
２０  供給経路
２１  バイパス経路
２２  混合ゾーン
２３  供給空気流
２４  バイパス空気流
２５  第１の突き通し要素
２６  第２の突き通し要素
２７  蓋
２８  チャネル
２９  バイパスチャネル
３０  壁
３１  先端部
３２  貫通穴
３３  突起
【図１】
0005787520.tif 000002
【図２】
0005787520.tif 000003
【図３】
0005787520.tif 000004
【図４】
0005787520.tif 000005